(57)【要約】本発明の冷蔵庫用圧縮機は、霜取りで生じた水を蒸発させるための皿（１８）を備える。皿は、その本体に配設された貫通孔（２２）と係合するようになった異形断面材（１９）により圧縮機のシェル（１３）に取付けられる。異形断面材（１９）は、圧縮機から突出する管（３０）の一つに異形断面材のＶ字形下端部を介して取付けられる。簡単で合理的な本発明の解決法により、唯一種類の皿を様々な等級、即ち様々な大きさの圧縮機に使用することが可能となる。
2004512488.tif 000002
【特許請求の範囲】
【請求項１】
霜取りで生じた水の蒸発用の皿（１８）を備えた特に家庭用の冷蔵庫用圧縮機であって、該皿は、その本体に配設された貫通孔（２２）と垂直方向に調節可能な位置で係合するようになった異形断面材（１９）により該圧縮機のシェル（１３）上に取付けられる冷蔵庫用圧縮機において、該異形断面材（１９）は、該圧縮機（１０）から突出する保守用管（３０）等の管（３０）の一つに該異形断面材のＶ字形下端部（２５）を介して取付けられることを特徴とする冷蔵庫用圧縮機。
【請求項２】
前記異形断面材（１９）の前記下端部（２５）は、様々な直径の異なる管にも適合するようにＶ字形をなすことを特徴とする請求項１に記載の冷蔵庫用圧縮機。
【請求項３】
前記異形断面材（１９）は、前記貫通孔（２２）の下端部に設けられた、内側に歯を備える弾性突片（３２）と係合するようになった鋸歯状面（２４）を備えることを特徴とする請求項１または２に記載の冷蔵庫用圧縮機。
【請求項４】
前記突片（３２）には、その把持力が増大するように曲げられ刻み目が付された突出する端縁が設けられることを特徴とする請求項３に記載の冷蔵庫用圧縮機。
【発明の詳細な説明】
【０００１】
本発明は冷蔵庫用圧縮機、特に、霜取りで生じた水の蒸発用の皿を備えた家庭用冷蔵庫用圧縮機に関する。
【０００２】
家庭用冷蔵庫の冷却回路を効率的に作動させるには定期的、周期的な霜取りが必要なことは一般的に知られており、霜取りで生じた水は勿論適宜に冷却回路から除去しなければならない。
【０００３】
この目的で圧縮機のシェル上に取付けられた適宜の蒸発用皿を有し、霜取りで生じた水を適宜の柔軟な管を介して冷蔵庫内部からこの皿内に排出するようになった圧縮機は、古くから使用されている。圧縮機で生じた熱がその上の皿に伝達されることにより、このように集められた霜取りで生じた水は自動的かつ効果的に蒸発するようになっている。
【０００４】
皿を圧縮機に取付けるには技術的問題があるが、今まで様々な手段、方法で解決されて来た。
【０００５】
本願出願人によるイタリア国実用新案出願第ＰＮ２０００Ｕ ００００２３号に開示される冷蔵庫用圧縮機には、異形断面材により圧縮機のシェル上に取付けられるプラスチック成形の皿が設けられ、この異形断面材は皿の胴部に設けられる貫通孔内に垂直方向に挿入されるようになっている。この異形断面材の下端部は鉤状部となっていて、圧縮機ケーシングの下方の胴部と上方のシェルとを結合する境界部と係合する。異形断面材は、その鋸歯状面が皿の胴部にある貫通孔から突出する弾性突片と係合することにより所定の位置に保持される。
【０００６】
上記実用新案出願に開示される解決法は確かに便利で効果的であるが、更に改良が可能である。実際、異形断面材が結合する圧縮機の境界部は丸みを帯びたり、面取りされることもあるので、圧縮機の作動時の振動によりこの結合が不安定になることもある。更に、圧縮機から皿を取外すには、単なるねじ回しとはいえ常に道具を使う必要がある。
【０００７】
上記の問題を解決するために本発明が提供する冷蔵庫用圧縮機は、付属する請求項に記述されているように、霜取りで生じた水を蒸発させるための皿を圧縮機と冷却回路とを連結する管の一つに取付けるとともに、関連の連結用異形断面材の下端部に保持用突片を設けることにより前記の欠点を取り除くことができる。
【０００８】
本発明の特徴及び利点は、添付の図面を参照に以下に記す限定を意図しない詳細な説明から明確にかつ容易に理解されるであろう。
【０００９】
図１は、２つの結合ブラケット１１により家庭用冷蔵庫（図示せず）内に取付けられるようになった気密の冷蔵庫用圧縮機１０を示す。
【００１０】
このような圧縮機１０は一般的に、上部をシェル１３で閉じられたケーシング１２からなり、このようなケーシングとシェルは突出した水平な縁部１４に沿って互いに結合される。ケーシング１２には冷却剤の送出、帰還用の管１５、１６が連結される。同ケーシングには電気接続機器用箱１７が取付けられる。
【００１１】
シェル１３上には、冷蔵庫の霜取り期間に生じる水を集め、蒸発させるための皿１８が取付けられ、この水は適宜の管部材（図示せず）により皿内に搬送される。皿の形状は角を面取りした略平行六面体であり、その底部は、熱交換表面積を増大させることにより皿に集められた水の蒸発速度を増大させるために、シェル１３の上面の形状に正確に一致した凸状になっている。
【００１２】
本発明によると、皿１８はプラスチック材、好ましくはポリプロピレンからなり、その一方の側面には垂直の貫通孔２２が設けられる。この貫通孔内には異形断面材１９が摺動自在に挿入される。
【００１３】
異形断面材１９は溝付きの胴部を有するが、図２を参照して以下に詳細に説明する。異形断面材１９の溝付き胴部の表面は少なくとも１つの鋸歯状部２４を備え、この鋸歯状部は貫通孔２２の下端部に設けられる弾性突片３２と係合するようになっている。図１に示すように、突片３２の弾性は貫通孔２２の下端部に切り目を付けることで得られる。異形断面材１９の鋸歯状部２４は突片３２内に設けられる歯（図示せず）と係合する。
【００１４】
特別な道具を使わずに異形断面材１９を孔２２から取外すために、突片３２の端縁は皿１８の外側方向に直角に曲っている。好ましくは突片３２のこの曲った端縁の下面には把持力を増すために刻み目が設けられる。
【００１５】
本発明によると、異形断面材１９の下端部は内側がＶ字形の鉤状部２５となっている（図２参照）。この特殊な形状により異形断面材１９を圧縮機の保守用管３０（冷却剤を装填するための管）に取付けることが可能となる。勿論、異形断面材は、圧縮機を冷却回路に連結する他の管のどれにも取付けることができる。
【００１６】
異形断面材１９をこのように管３０に取付けることにより、皿１８はより強固かつ確実に圧縮機１０に固定することができる。更に、鉤状部２５は、このようなＶ字形になっているので様々な大きさの径の管に取付けることが可能な点からも有利なことは明らかであろう。その結果、取付け構造１９、２２〜３２を備えた唯一つの皿１８を様々な等級、大きさの圧縮機に使用することが可能となる。
【００１７】
従って本発明による解決法は、本願出願人の先のイタリア国実用新案出願第ＰＮ２０００Ｕ ００００２３号に開示される解決法をその効果的、利便性良好な利点を高めながら改良することに成功した。
【図面の簡単な説明】
【図１】
本発明に係る皿を備えた圧縮機の上方斜視図である。
【図２】
本発明に係る圧縮機の一部分の詳細な正面図である。
【国際公開パンフレット】
2004512488.tif 000003
2004512488.tif 000004
2004512488.tif 000005
2004512488.tif 000006
2004512488.tif 000007
2004512488.tif 000008
2004512488.tif 000009
2004512488.tif 000010
【国際調査報告】
2004512488.tif 000011
2004512488.tif 000012
2004512488.tif 000013